(57)【要約】【課題】魚挟み具について、グリップアームの手元側に魚が入り込んでしまうことを防止する。【解決手段】魚挟み具１の支軸１１を中心に回動可能な一対のグリップアーム１０の前側に、後端部の支軸２１を中心に回動可能であり、対向する面にそれぞれ歯２２が形成されて魚を挟むことが可能な一対のピンチアーム２０を新たに設ける。この各ピンチアーム２０の長手方向の中間箇所を各グリップアーム１０の前端部に対し、それぞれ支軸２４で回動可能に連結することで、グリップアーム１０の開閉とピンチアーム２０の開閉を連動させる。グリップアーム１０を閉じると魚はピンチアーム２０により挟み込まれ、操作者の手元側となるグリップアーム１０の側へ入り込まなくなっているため、しっかりと挟持することができる。【選択図】図１
2014113354.tif 000002
【特許請求の範囲】
【請求項１】
前端部と後端部の間に設けられた第１の支軸１１を中心に、前端部同士が接近および離反する向きに互いに回動可能に連結され、手で握ることが可能な一対のグリップアーム１０と、
後端部に設けられた第２の支軸２１を中心に、前端部同士が接近および離反する向きに互いに回動可能に連結され、かつその対向する面にそれぞれ歯２２を有して魚を挟むことが可能な一対のピンチアーム２０と、
前記一対のグリップアーム１０の間または前記一対のピンチアーム２０の間のいずれかの間に装填されて、その装填された一対のグリップアーム１０または一対のピンチアーム２０の回動方向をその前端部同士が離反する向きに付勢するばね１２と、備え、
前記一対のピンチアーム２０の後端部は、前記一対のグリップアーム１０の前端部の間に位置し、かつ前記一対のグリップアーム１０の前端部と前記一対のピンチアーム２０の前端部と後端部の間の箇所とは、それぞれ第３の支軸２４により回動可能に連結されている、魚挟み具。
【発明の詳細な説明】
【技術分野】
【０００１】
本発明は、魚挟み具に関する。
【背景技術】
【０００２】
魚は粘液を分泌して滑ってつかみにくく、またヒレなど鋭利な箇所が存在して触ると手が傷付きやすく、さらには毒性を有するものもあり触ると危険であるため、その取り扱いの際には、特許文献１のような魚挟み具が用いられている。
図４のように、従来の魚挟み具２は、一対のグリップアーム２ａの後端部同士を支軸２ｂで回動可能に連結し、そのグリップアーム２ａの前端部の対向する面にそれぞれ歯２ｃを形成している。また、両グリップアーム２ａ間に装填したばねにより、その歯２ｃが設けられた前端部同士が離反する向きに、回動方向を付勢されている。
【０００３】
魚を挟み持つ際には、魚挟み具２が開いた状態、すなわち一対のグリップアーム２ａの前端部が離反した状態で、対向する歯２ｃの間に魚を位置させる。次いで魚挟み具２を強く握って閉じた状態、すなわちばねの付勢に抗して支軸２ｂを中心に一対のグリップアーム２ａを回動させその前端部が接近した状態にして、その歯２ｃを魚に食い込ませることによる。
【０００４】
ところで、このような構造の魚挟み具２は、釣り上げた魚が暴れるなどして、一対のグリップアーム２ａの歯２ｃが形成された前端部から手元側に、すなわち支軸２ｂが設けられた後端部の側へと奥深くに入り込こんでしまうと、その後端部の側の対向する面には歯２ｃが設けられていないため、魚がすべって挟むことができない欠点がある。
この場合に、両グリップアーム２ａが対向する面の前端部のみならず全域に歯２ｃを設けると問題は解消しうるが、誤って指をグリップアーム２ａの間に挟みこんでしまうと、その手元側に設けられた歯２ｃによりけがをしてしまうため危険であり、かかる方策は現実的ではない。
また魚の寸法が大きい場合に、その魚が手元の側に入り込むと、両グリップアーム２ａがその魚に押されて大きく開きすぎてしまい、握って操作することが困難となってしまう。
いずれにせよ、グリップアーム２ａの手元側に魚が入り込んでしまうと、魚をうまく挟めない問題があった。
【先行技術文献】
【特許文献】
【０００５】
【特許文献１】意匠登録第１３７８３６８号公報
【発明の概要】
【発明が解決しようとする課題】
【０００６】
そこで本発明の解決すべき課題は、魚挟み具について、グリップアームの手元側に魚が入り込んでしまうことを防止することである。
【課題を解決するための手段】
【０００７】
上記課題を解決するために、本発明の魚挟み具について、手元で操作するグリップアームの前側に、後端部同士が支軸で回動可能に連結され対向する面にそれぞれ歯が形成されて魚を挟むことが可能な一対のピンチアームを別途設け、この各ピンチアームの中間箇所を各グリップアームの前端部にそれぞれ回動可能に連結する構成を採用したのである。
【０００８】
より具体的には、本発明の魚挟み具を、前端部と後端部の間に設けられた第１の支軸を中心に前端部同士が接近および離反する向きに互いに回動可能に連結されて手で握ることが可能な一対のグリップアームと、後端部に設けられた第２の支軸を中心に前端部同士が接近および離反する向きに互いに回動可能に連結されかつその前端部の対向面にそれぞれ歯を有して魚を挟むことが可能な一対のピンチアームと、前記一対のグリップアームの間または前記一対のピンチアームの間のいずれかの間に装填されてその装填された一対のグリップアームまたは一対のピンチアームの回動方向をその前端部同士が離反する向きに付勢するばねと、備え、前記一対のピンチアームの後端部は、前記一対のグリップアームの前端部の間に位置し、かつ前記一対のグリップアームの前端部と前記一対のピンチアームの前端部と後端部の間の各箇所とは、それぞれ第３の支軸により回動可能に連結されている構成としたのである。
【０００９】
一対のピンチアームの間に魚を位置させた状態で、一対のグリップアームを強く握り、ばねの付勢に抗して、グリップアームの前端部が接近する方向に回動させると、各グリップアームの前端部に回動可能に連結された各ピンチアームもこれに連動して、その前端部が接近する向きに回動するため、その対向面に形成された歯が魚に食い込んで魚が挟持される。
グリップアームを握りから解放すると、グリップアーム間にばねが装填されている場合には、そのばねの付勢によりグリップアームの前端部が離反する向きに回動するのに連動して、グリップアームに連結されたピンチアームがその前端部が離反する向きに回動する。また、ピンチアーム間にばねが装填されている場合には、そのばねの付勢によりピンチアームの前端部が離反する向きに回動するため、いずれの場合も、魚はピンチアームに挟持された状態から自動的に開放される。
魚は、グリップアームの前側に設けられたピンチアームにより挟み込まれ、操作者の手元側となるグリップアームの後端の側へは入り込まなくなっている。
【発明の効果】
【００１０】
発明にかかる魚挟み具を以上のように構成したので、グリップアームの手元側に魚が入り込んでしまうことを防止できる。
【図面の簡単な説明】
【００１１】
【図１】実施形態の魚挟み具の（ａ）は開いた状態を示す斜視図、（ｂ）は閉じた状態を示す斜視図
【図２】実施形態の魚挟み具の（ａ）は開いた状態を示す縦断面図、（ｂ）は閉じた状態を示す縦断面図
【図３】実施形態の魚挟み具の使用状態示す図
【図４】従来の魚挟み具の開いた状態を示す斜視図
【発明を実施するための形態】
【００１２】
以下、図面を参照しつつ本発明の実施形態について説明する。
図１および図２に示す実施形態の魚挟み具１は、一対のグリップアーム１０と、一対のピンチアーム２０と、これらの付属物品とを備える。
【００１３】
図１および図２のように、一対のほぼ相似形（左右反転形状）のグリップアーム１０は、その後端部が重ね合わされ、ここに第１の支軸１１が貫通している。これによりグリップアーム１０は、第１の支軸１１を中心にして、前端部が互いに接近する閉じた状態と、前端部が離反する開いた状態との間で、回動可能となっている。
図２のように、両グリップアーム１０は、扁平で細長い略棒状の形状であるが、長手方向の中間箇所から前端部にかけて互いに離反する向きにわずかに屈曲している。
【００１４】
第１の支軸１１には、トーションスプリング形のばね１２が外装されており、このばね１２の両足は各グリップアーム１０に架け渡され、その対向する面の第１の支軸１１近傍に設けられた切り欠き箇所にはめ込まれている。これにより、一対のグリップアーム１０はそのばね１２の弾発力でもって、前端部が互いに離反する向きに回動方向が付勢されている。
また両グリップアーム１０の前端部には、それぞれ前方へと二つに並列して突出する略半円柱形の軸受部１３が設けられて、ここに軸が挿通可能となっている。
さらに、両グリップアーム１０の長手方向の中間箇所の対向面には、それぞれ略半円柱形に窪んだ凹部１４が形成されている。
【００１５】
図２のように、グリップアーム１０の第１の支軸１１には、長円環形のロック部材１５が外装されており、このロック部材１５は、その長円の長軸方向に突出するタブ１５ａに取り付けられたリング１６を指でつまんで、その長円の長軸方向に沿ってスライド操作することが可能になっている。図示のように、ロック部材１５のスライド方向は、魚挟み具１の前後方向とほぼ一致している。
なおロック部材１５は、ばね１２との干渉を防止するために、ばね１２の第１の支軸１１への外装箇所が適宜切り欠かれる等されているものとする。
【００１６】
図２（ｂ）のように、両グリップアーム１０の前端部同士が接近した状態で、リング１６をつまんでロック部材１５を両グリップアーム１０の後端部の間から外側（魚挟み具１の後方の側）へと引き出すと、両グリップアーム１０の後端部の間にロック部材１５がはまり込む。これにより、グリップアーム１０の間にロック部材１５がつっかえて、そのグリップアーム１０の前端部が離反する方向への回動が規制され、閉じた状態にロックされる。魚挟み具１を使用しないときには、このように閉じた状態でロックしておくことで嵩高にならず、収納等に便利である。
ここから、図２（ａ）のように、ロック部材１５を両グリップアーム１０の後端部の間から内側（魚挟み具１の前方の側）へと押し込むと、両グリップアーム１０の後端部の間からロック部材１５が退去する。これにより、ロック部材１５のロックから解除されたグリップアーム１０は、その前端部が離反する方向への回動が可能となる。
【００１７】
図１および図２のように、一対のほぼ相似形（左右反転形状）のピンチアーム２０は、その後端部が重ね合わされ、ここに第２の支軸２１が貫通している。これによりピンチアーム２０は、第２の支軸２１を中心にして、その前端部が互いに接近する閉じた状態とその前端部が離反する開いた状態の間で回動可能となっている。
各ピンチアーム２０は、扁平でかつ互いに外向きにわずかに湾曲する形状をしており、図２（ｂ）のように閉じた状態で両ピンチアーム２０の間には、短軸に比して長軸が非常に長い略長円形の空間が形成されるようになっている。
【００１８】
また、各ピンチアーム２０の第２の支軸２１が貫通する後端部は、円柱形に膨らんでいる。さらに、両ピンチアーム２０の対向する面の外周のほぼ全域には、略四角錐形の歯２２が多数形成されている。
両ピンチアーム２０の対向する面とは逆側の面（裏面、外側面）の長手方向の中間箇所には、その面から三つに並列して突出する略半円柱形の軸受部２３が形成されて、ここに軸が挿通可能となっている。
【００１９】
図１および図２のように、一対のピンチアーム２０の後端部は、一対のグリップアーム１０の両前端部の間に位置しており、隣接する各ピンチアーム２０の軸受部２３と各グリップアーム１０の軸受部１３とが、それぞれ三つの軸受部２３の間に二つの軸受部１３が位置するように重ね合わされ、ここにそれぞれ第３の支軸２４が貫通している。
したがって、グリップアーム１０とピンチアーム２０とは、第３の支軸２４を中心に互いに回動可能に連結されている。
【００２０】
いま、図１（ａ）および図２（ａ）の状態から、グリップアーム１０を強く握ってばね１２の付勢に抗してその前端部が接近する閉じた向きに回動させる。すると、ピンチアーム２０はこれに連動してその前端部が接近する向きに回動して、図１（ｂ）および図２（ｂ）のような閉じた状態となる。
こうして閉じた状態で、ピンチアーム２０の第２の支軸２１が挿通する円柱形に膨らんだ後端部は、各グリップアーム１０に設けられた半円柱形の凹部１４に収まるようになっている。したがって、ピンチアーム２０とグリップアーム１０が干渉して互いの回動範囲が制約されることが防止されている。
一方、グリップアーム１０を離すと、ばね１２の付勢によりその前端部が離反する開いた向きに自動的に回動復帰し、ピンチアーム２０はこれに連動してその前端部が離反する向きに自動的に回動復帰して開いた状態となる。
【００２１】
実施形態の魚挟み具１は、図３のように、グリップアーム１０およびピンチアーム２０が開いた状態で両ピンチアーム２０の間に魚が位置するように調整し、ついでグリップアーム１０を強く握ってピンチアーム２０を閉じて、両ピンチアーム２０の対向する面に形成された歯２２を魚に食い込ませることで魚を挟み持つものである。
ここで両ピンチアーム２０は外向きに湾曲しているため、魚の胴体に沿いやすく、魚を挟持しやすくなっている。
このように魚はピンチアーム２０の間で挟持され、操作者の手元側に相当するグリップアーム１０の後端部の側へと入り込まないため、魚が手元側に入り込んでつかみにくくなる事態は生じないようになっている。
【００２２】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００２３】
グリップアーム１０やピンチアーム２０の形状は、図示のものに限られない。
たとえば、グリップアーム１０の第１の支軸１１による連結箇所は後端部に限定されず、グリップアーム１０の長手方向の中間箇所を第１の支軸１１で連結し、Ｘ型に連結された各グリップアーム１０の後端部に指を通すためのリング部を設けて、汎用されている紙切り鋏と概ね同様の構造にしてもよい。グリップアーム１０は、握りやすいように、凹凸部や滑り止め部が適宜設けられていてもよい。その凹部１４は、省略可能である。
また、ピンチアーム２０は実施形態のような湾曲形状ではなく、くの字型の屈曲形状などでもよい。ピンチアーム２０の歯２２の形成範囲も実施形態に限定されず、両ピンチアーム２０が対向する面の外周のみならず全域に設けてもよいし、前端部のみに設けるなど部分的に設けてもよい。歯２２の形状も図示のような略四角錐形には限定されない。
グリップアーム１０の前端部のピンチアーム２０への連結箇所も、実施形態のようなピンチアーム２０の長手方向の中間箇所には限定されず、ピンチアーム２０の前端部と後端部の間の任意の箇所で連結されていればよい。
【００２４】
実施形態では、ばね１２をグリップアーム１０の間に装填しているが、ばねはピンチアーム２０の間に装填してもよいし、グリップアーム１０とピンチアーム２０の両方の間に装填してもよい。
ロック部材１５は省略可能であり、また他の公知のロック機構で代替してもよい。
魚挟み具１の材質も特に限定されないが、グリップアーム１０、ピンチアーム２０については合成樹脂製が、第１〜第３の支軸については金属製が、それぞれ例示できる。
【符号の説明】
【００２５】
１  実施形態の魚挟み具
１０  グリップアーム
１１  第１の支軸
１２  ばね
１３  軸受部
１４  凹部
１５  ロック部材
１５ａ  タブ
１６  リング
２０  ピンチアーム
２１  第２の支軸
２２  歯
２３  軸受部
２４  第３の支軸
２  従来の魚挟み具
２ａ  グリップアーム
２ｂ  支軸
２ｃ  歯
【図１】
2014113354.tif 000003
【図２】
2014113354.tif 000004
【図３】
2014113354.tif 000005
【図４】
2014113354.tif 000006